(57)【要約】      （修正有）【課題】相手方導電部材が深い位置にある場合でも十分なストローク変位量を有し、十分な接触力で接触可能なコンタクトを有する電気コネクタを提供すること。【解決手段】バッテリー４０に接続されるコネクタであって、コンタクト保持部と、バッテリーと近接する接続面と、を備えるコネクタハウジングと、コンタクト保持部によってコネクタハウジングに固定される固定部と、接続面から突出して相手方ユニットの導電部材に接触するコンタクト部と、固定部とコンタクト部の間にあってコンタクト部を接続面から突出するように付勢する弾性部と、コンタクト部の接続面からの突出量を規制する掛止部と、を備えた導電性の板状体からなるコンタクトと、を備え、コネクタハウジングの接続面には、接続面から所定距離突出したコンタクトサポート部１９が設けられ、コンタクトサポート部に掛止部が掛止される。【選択図】図５
2008218035.tif 000002
【特許請求の範囲】
【請求項１】
相手方ケーシングの一面に所定深さの凹部が形成され、該凹部の最奥部に導電部材が設けられた相手方ユニットに接続される電気コネクタであって、
コンタクト保持部と、前記相手方ユニットと近接する接続面と、を備えるコネクタハウジングと、
前記コンタクト保持部によって前記コネクタハウジングに固定される固定部と、前記接続面から突出して前記導電部材に接触するコンタクト部と、前記固定部と前記コンタクト部の間にあって前記コンタクト部を前記接続面から突出するように付勢する弾性部と、前記コンタクト部の前記接続面からの突出量を規制する掛止部と、を備えた導電性の板状体からなるコンタクトと、を備え、
前記コネクタハウジングの前記接続面には、該接続面から所定距離突出したコンタクトサポート部が設けられ、該コンタクトサポート部に前記掛止部が掛止されるようになしたことを特徴とする電気コネクタ。
【請求項２】
前記コネクタハウジングの前記接続面には開口が形成され、前記コンタクトサポート部は前記開口の近傍から突出するように形成されていることを特徴とする請求項１に記載の電気コネクタ。
【請求項３】
前記相手方ユニットと接続した際には、前記コンタクトサポート部は前記相手方ユニットの凹部に挿入される形状を有していることを特徴とする請求項１又は２に記載の電気コネクタ。
【請求項４】
前記相手方ユニットは二次電池であり、前記電気コネクタはバッテリーコネクタであることを特徴とする請求項１〜３のいずれかに記載の電気コネクタ。
【発明の詳細な説明】
【技術分野】
【０００１】
本発明は電気コネクタに関し、特に、コネクタハウジングに取付けられたコンタクトがコネクタハウジングから突出し、このコンタクトが相手方ユニットに設けられた相手方導電部に押圧接続させることにより電気的に接続される電気コネクタであって、例えば携帯用電子機器に使用されるバッテリーコネクタに適用可能な電気コネクタに関する。
【背景技術】
【０００２】
従来、携帯電話機等の携帯用電子機器に使用されるバッテリーコネクタは、コネクタハウジングとその接続面から突出した付勢力を有するコンタクトから構成され、バッテリーの電極をコンタクトに押し当てるとコンタクトは付勢力に抗して変位し、この付勢力によって生じる接触力によって接続状態を維持していた。
【０００３】
図６は従来使用されているバッテリーコネクタの一例を示す外観斜視図であり、図７は図６のバッテリーコネクタの断面図を示したものであり、図７（ａ）は接続前の状態を示す断面図、図７（ｂ）は接続後の状態を示す断面図である。コネクタ６００は、図６に示すように、コネクタハウジング６１０とコンタクト６２０から構成される。コネクタハウジング６１０の接続面である前面６１４には複数の仕切り壁６１８によって隔てられた複数の開口６１７が設けられ、コネクタハウジング６１０の内部はこれら仕切り壁６１８によってそれぞれ仕切られ独立したコンタクト収容空間が形成されてコンタクト６２０を収容する。コンタクト６２０は、図７に示すように、１枚の導電性金属板材から構成されており、コネクタハウジング６１０に固定される固定部６２１、略Ｓ字形状に屈曲することにより付勢力が付与された弾性部６２２、湾曲した接触部を有するコンタクト部６２３、コンタクト６２０の固定部６２１が設けられた端部とは反対側の端部に設けられ鉤状に屈曲した掛止部６２４からなり、コンタクト部６２３は開口６１７を介してコネクタハウジング６１０の前面６１４から前方に突出している。なお、コネクタハウジング６１０の仕切り壁６１８の上方が拡幅されることにより開口６１７の上部も縮幅されており、この縮幅された部分が掛止部６２４を掛止してコンタクト部６２３の前面６１４からの突出量を規制している。
【０００４】
コネクタ６００にバッテリー（二次電池）６４０を接続する際は、バッテリー６４０の接続端面６４５に設けられた凹部６４７の最奥部に配置された電極６５０が押圧力によってコンタクト６２０のコンタクト部６２３に接触し、コンタクト６２０は弾性部６２２において付勢力に抗して変形し、コンタクト部６２３はコネクタハウジング６１０の方向に変位する（図７（ｂ）参照）。コンタクト部６２３と電極６５０との接触力は、このコンタクト部６２３のストローク変位量が大きいほど増すため、従来コンタクト部６２３のストローク変位量を如何に増すかが課題となっていた。
【０００５】
このため下記特許文献１（特開２００５−１２９３７４号公報）に開示された、小型化が可能で良好な接触状態が得られるコネクタは、そのコンタクトが保持部、接触部、弾性変形部を具備し、弾性変形部は、保持部と接触部の間において第１湾曲部、連結部、第２湾曲部で順次連結されて略Ｓ字形状をなし、連結部に変位規制用突起を形成したもので、コネクタのコンタクト収容室の内壁面には前記変位規制用突起に係合する変位規制用係合溝が設けられている。コンタクトとバッテリーパックの相対的な押圧による接続時に、コンタクトの弾性変形部は前記変位規制用突起と変位規制用係合溝の係合作用によって変位が規制され、第２湾曲部の変位量を制限して小型化を可能とするとともに接触部の変位量を大きくすることが可能となる。
【０００６】
【特許文献１】特開２００５−１２９３７４号公報（請求項１、段落［００１７］、［００１９］、［００２５］、図３）
【発明の開示】
【発明が解決しようとする課題】
【０００７】
図８は図７に示すものと同様に従来のバッテリーコネクタの断面図を示し、図８（ａ）は電極が深い位置にあるバッテリーとの接続前の状態を示す断面図、図８（ｂ）は図８（ａ）に示すバッテリーコネクタを十分なストローク量を得るため無理にバッテリーに干渉させて接続させた場合の状態を示し、図８（ｃ）は十分なストローク量を得るためコネクタハウジングからのコンタクト部の突出量を増した場合のバッテリーコネクタを示す断面図である。
【０００８】
上述した従来のバッテリーコネクタにおいては、バッテリー６４０の電極６５０がコネクタの前面に対して比較的近接するものであれば十分な付勢力及び接触力が得られるので良好な導通状態を確保することができる。しかしながら、バッテリー側の電極の形成位置は使用するバッテリーによってまちまちであり、上述した従来のバッテリーコネクタにおいて、バッテリーの電極がバッテリーの接続端面から離れた位置、すなわち電極が形成される凹部が比較的深底なバッテリー（図８（ａ）参照）と接続する場合にはコンタクト部のストローク量が不足し、十分な付勢力でバッテリーの電極に接触することが不可能となり、接触不良等の障害の原因となるという問題点が存在する。
【０００９】
すなわち、コネクタ６００のコンタクト部６２３が十分なストローク量を得るためにはバッテリー６４０をコネクタ６００に向けて所定距離移動させる必要がある。しかし、従来のコネクタ６００においてこの移動距離を確保しようとすると、バッテリー６４０の接続端面６４５とコネクタ６００のコネクタハウジング６１０とが干渉してしまう位置まで移動させなければならなくなり、これは事実上不可能である（図８（ｂ）参照）。
【００１０】
一方、図８（ｃ）に示すコネクタ６００'のように、コンタクト６２０'のコンタクト部６２３を長くすることでコネクタハウジング６１０の前面６１４からの飛び出し量を増せば十分なストローク量を得られるようにはなるが、コンタクト６２０'を形成する導電性金属板材が従来より長くなって強度が低下するとともに、コネクタハウジング６１０からの飛び出し量の分だけ外力に対して脆弱になり、変形・損傷しやすくなってしまう。
【００１１】
従って、本発明の目的は、バッテリーの電極のように、相手方ユニットの導電部材が深い位置にある場合でも十分なストローク変位量を有し、十分な接圧で接触可能なコンタクトを有する電気コネクタを提供することである。
【００１２】
さらに、本発明の他の目的は、コンタクトが外力に対して十分な強度を示すような電気コネクタを提供することである。
【課題を解決するための手段】
【００１３】
上記課題を解決するために、本発明の請求項１に係る電気コネクタは、相手方ケーシングの一面に所定深さの凹部が形成され、該凹部の最奥部に導電部材が設けられた相手方ユニットに接続される電気コネクタであって、
コンタクト保持部と、前記相手方ユニットと接触する接続面と、を備えるコネクタハウジングと、
前記コンタクト保持部によって前記コネクタハウジングに固定される固定部と、前記接続面から突出して前記導電部材に接触するコンタクト部と、前記固定部と前記コンタクト部の間にあって前記コンタクト部を前記接続面から突出するように付勢する弾性部と、前記コンタクト部の前記接続面からの突出量を規制する掛止部と、を備えた導電性の板状体からなるコンタクトと、を備え、
前記コネクタハウジングの前記接続面には、該接続面から所定距離突出したコンタクトサポート部が設けられ、該コンタクトサポート部に前記掛止部が掛止されるようになしたことを特徴とする。
【００１４】
また、本発明の請求項２に係る発明は、請求項１に記載の電気コネクタにおいて、前記コネクタハウジングの前記接続面には開口が形成され、前記コンタクトサポート部は前記開口の近傍から突出するように形成されていることを特徴とする。
【００１５】
また、本発明の請求項３に係る発明は、請求項１又は２に記載の電気コネクタにおいて、前記相手方ユニットと接続した際には、前記コンタクトサポート部は前記相手方ユニットの凹部に挿入される形状を有していることを特徴とする。
【００１６】
また、本発明の請求項４に係る発明は、請求項１〜３のいずれかに記載の電気コネクタにおいて、前記相手方ユニットは二次電池であり、前記電気コネクタはバッテリーコネクタであることを特徴とする。
【発明の効果】
【００１７】
本発明の電気コネクタは下記のような効果を奏する。すなわち、本発明の請求項１にかかる電気コネクタの発明によれば、コネクタハウジングの接続面からコンタクトサポート部が突出するように形成され、このコンタクトサポート部がコンタクトの掛止部を掛止することによって、掛止部の掛止位置が従来よりも前方に移動するため、金属材の長さをほとんど変えずにコンタクト部を接続面に対して前方に配設することができるようになる。また、コンタクトサポート部が接続面から突出していることにより、コンタクト部を外力から保護することができる。従って、コネクタハウジングからのコンタクトの露出量を増やすことなくコネクタハウジング接続面からのコンタクトの突出量を増すことができ、これによりバッテリーなどの相手方ユニットの凹部が比較的深底状に形成されているような場合でもコンタクトが十分なストローク量で相手方の導電部材（電極）に接続されることが可能となり、確実な接続が可能となる。また、コンタクトサポート部によってコンタクトのコネクタハウジングからの露出部分が一部保護されるため、非使用状態において外力によってコンタクトが変形し、劣化・損傷するのを防止することが可能となる。
【００１８】
また、請求項２にかかる電気コネクタの発明によれば、コネクタハウジングの接続面に開口が形成されており、コンタクトサポート部はその開口の近傍から突出するように形成されている。これにより、コンタクトは開口を通してコネクタハウジング内部に取り付けることが可能となり、同時にその際にコンタクトサポート部が障害となることはない。また、コンタクトサポート部を開口の側部に設ければ、特に側方からの外力によるコンタクトの変形を良好に抑えることができる。
【００１９】
また、請求項３にかかる電気コネクタの発明によれば、コンタクトサポート部が相手方ユニットの形状に対応する形状に形成されているため、接続の際に、コンタクトサポート部が相手方ユニットの対応する凹部に収容されることが可能となり、相手方ユニットの導電部材が凹部の深い位置にあるような場合でもコンタクトが十分なストロークでもって導電部材に接触されることが可能となり、接続が確実に行われるようになる。
【００２０】
また、請求項４にかかる電気コネクタの発明によれば、導電部材が深い位置に存在するようなバッテリーの電極にも十分なストロークと付勢力によって確実な接続が行われるようなバッテリーコネクタを提供することが可能となり、これによって携帯用電子機器などが使用時に電源の接触不良等による停電事故を生じることを防止できる。
【発明を実施するための最良の形態】
【００２１】
以下、図面を参照して本発明の最良の実施形態を説明する。但し、以下に示す実施形態は、本発明の技術思想を具体化するための電気コネクタとしてバッテリーコネクタを例示するものであって、本発明をこのバッテリーコネクタに特定することを意図するものではなく、特許請求の範囲に含まれるその他の実施形態のものも等しく適応し得るものである。
【実施例１】
【００２２】
先ず、図１〜図３を参照して本発明の実施例に係るバッテリーコネクタについて説明する。図１は本発明の実施例に係るバッテリーコネクタの外観斜視図、図２は図１と同様に本発明の実施例に係るバッテリーコネクタを示す図であり、図２（ａ）は平面図、図２（ｂ）は正面図、図２（ｃ）は底面図、図２（ｄ）は左側面図、図２（ｅ）は右側面図、図３は図２のＡ−Ａ線断面図である。
【００２３】
本実施例のバッテリーコネクタ１は、コネクタハウジング１０と、コネクタハウジング１０の内部に組込まれた複数のコンタクト２０から構成される。なお、本実施例の場合、コネクタハウジング１０には同一形状のコンタクトが５つ組込まれている。
【００２４】
コネクタハウジング１０は、上面１１、左右側面１２、１３、前面１４、後面１５、下面１６からなる直方体形状で、内部にはコンタクト２０を収容するためのコンタクト収容空間１０１が形成されている（図３参照）。なお、コネクタハウジング１０の前面１４は、相手方ユニットであるバッテリー４０と接続される接続面をなしている。
【００２５】
コネクタハウジング１０の前面１４には複数の開口１７ａ〜１７ｅが設けられ、コネクタハウジング１０内部のコンタクト収容空間１０１に連通する。それぞれの開口１７ａ〜１７ｅは開口間に設けられた仕切り壁１８ａ〜１８ｄによって隔てられており、この仕切り壁１８ａ〜１８ｄはコネクタハウジング１０の内部において前面１４と後面１５とを接続し、それぞれ独立したコンタクト収容空間１０１を形成しており、これらのコンタクト収容空間１０１にコンタクト２０がそれぞれ収容されている。
【００２６】
前面１４の開口１７ａ〜１７ｅの両側上部には、前面１４から前方に向かって突出するようにコンタクトサポート部１９ａ１、１９ａ２〜１９ｅ１、１９ｅ２（以下、これらを総称して説明する際は「１９」と示す）が設けられている。このコンタクトサポート部１９は、それぞれの開口１７ａ〜１７ｅの両側にそれぞれ対をなすように左右対称に形成される。つまり、開口１７ａの両側にはコンタクトサポート部１９ａ１、１９ａ２が設けられ、同様に開口１７ｂ〜１７ｅの両側にはコンタクトサポート部１９ｂ１、１９ｂ２〜１９ｅ１、１９ｅ２が設けられる。
【００２７】
また、開口１７ａ〜１７ｅの両側に形成されたコンタクトサポート部１９はそれぞれが近接する開口１７ａ〜１７ｅに向かって、その側面が拡幅されており、この拡幅された部分にコンタクト２０の掛止部２４が掛止される。
【００２８】
一つの開口１７の両側に設けられた一対のコンタクトサポート部１９の右側端部から左側端部までの距離Ｗ１０は、後述するバッテリー４０の接続端面４５に設けられた凹部４７の幅Ｗ４０よりもわずかに小さくされる。また、コンタクトサポート部１９は輪郭Ｐ１０を有し、この輪郭Ｐ１０はバッテリー４０の凹部４７の内面Ｐ４０の内側に収まるような形状にされる。なお、上記にはコンタクトサポート部１９は開口１７ａ〜１７ｅの両側に形成されるものとして説明したが、開口１７ａ〜１７ｅの片側一方に設けてもよい。
【００２９】
コネクタハウジング１０の後面１５の内壁面には図示しない係止手段が設けられ、後述するコンタクト２０の固定部２１の保持部２１ｂを保持することができるようにされている。
【００３０】
コンタクト２０は、固定部２１、弾性部２２、コンタクト部２３及び掛止部２４から構成される。
コンタクト２０の固定部２１は、後端部において水平方向に延在してコネクタハウジング１０の下面１６が載置されるプリント配線基板（図示せず）に物理的にも電気的にも接続されるコンタクトテール２１ａ及びコンタクトテール２１ａから垂直上方に折り曲げられて上方に伸びる保持部２１ｂを備える。保持部２１ｂには図示しない係止部材等の取付け構造が設けられ、コネクタハウジング１０の後面１５の内壁面に形成された係止手段に係止されることによってコネクタハウジング１０にコンタクト２０を固定させるものである。
【００３１】
コンタクト２０の弾性部２２は、固定部２１の上端からＵ字状に湾曲した第１湾曲部２２ａ、第１湾曲部２２ａから下方に向かって延在する第１接続部２２ｂ、第１接続部２２ｂの下端から水平および前方方向に向けて湾曲する第２湾曲部２２ｃ、第２湾曲部２２ｃの前端から水平および前方方向に延在する第２接続部２２ｄ、第２接続部２２ｄの前端から斜め上方に向かって湾曲する第３湾曲部２２ｅ、第３湾曲部２２ｅの前端から斜め前方および上方に向かって延在する延長部２２ｆを備える。上記の構造により、弾性部２２は略Ｓ字形状をなしており、コンタクト２０が前後方向に十分な付勢力を発生できるようにされている。
【００３２】
コンタクト２０のコンタクト部２３は、弾性部２２の延長部２２ｆの前端から略Ｕ字形状または円弧状をなして後方に湾曲し、この湾曲面が接触部２３ａを形成している。なお、コンタクト部２３の接触部２３ａ付近は他の部分に比べて幅狭となっている。
【００３３】
コンタクト２０の掛止部２４は、コンタクト部２３の端部からさらに下方に折り返されて形成されており、この掛止部２４がコンタクトサポート部１９に掛止される。
【００３４】
コンタクト２０は、コネクタハウジング１０の前面１４に形成された開口１７からコンタクト収容空間１０１に挿入され、固定部２１の保持部２１ｂをコネクタハウジング１０の後面１５の内壁面等に設けられた係止部材（図示せず）等に係止することによってコネクタハウジング１０内に固定される。このとき、コンタクト２０の弾性部２２の延長部２２ｆはコネクタハウジング１０の前面１４を越えて前方に突出し、コンタクト部２３の接触部２３ａが非使用時にコネクタハウジング１０の前方に位置するようにされる。また、掛止部２４は、図３に示すように、前面１４から突出して形成されたコンタクトサポート部１９に掛止される。これにより、非使用時において、コンタクト部２３に外力が加わってコンタクト２０が変形し劣化・損傷することを防止できる。
【００３５】
なお、コンタクト２０のコンタクト部２３のコネクタハウジング１０前面１４からの突出量は、従来のコネクタ６００と比するとコネクタハウジング１０のコンタクトサポート部１９の突出量の分だけ前方に突出している。しかしながら、コンタクト部２３がコネクタハウジング１０から露出している量は、コンタクトサポート部１９が設けられているため、従来のコネクタにおける露出量と変わらず、外力に対して変形しにくくする。
【００３６】
さらに、コネクタハウジング１０の側面１２、１３には凹部が形成され、ここにＬ字型のグランド端子３０が挿入される。グランド端子３０はコネクタハウジング１０のグランド接続を可能にするとともに、コネクタハウジング１０をプリント配線基板（図示せず）に堅固に固定するために使用される。
【００３７】
なお、上記には、コネクタハウジング１０に５つの開口１７ａ〜１７ｅを設け、それぞれの内部に５つのコンタクト２０を組込ませたものについて説明したが、コンタクトの数は適宜変更し、例えばコネクタハウジング１０に３つの開口を形成し、３つのコンタクト２０を組込ませるようにしてもよい。
【００３８】
次に、本発明の実施例にかかるバッテリーコネクタ１と相手方ユニットとしてのバッテリーとの接続について説明する。図４は本発明の実施例にかかるバッテリーコネクタに接続されるバッテリーの要部を示す外観斜視図である。
【００３９】
バッテリー４０は、上面４１、下面４２、側面４３、４４、バッテリー側接続端面（以下、接続端面という）４５、後面４６からなる直方体形状であり、接続端面４５の所定位置には複数の凹部４７が形成されている。なお、図４では図１、図２に示したコネクタ１に対応するように５つの凹部４７ａ〜４７ｅが形成されている。それぞれの凹部４７の最奥部（底部）には相手方ユニットの導電部材としての電極５０（５０ａ〜５０ｅ）が設けられる。なお、それぞれの凹部４７は幅Ｗ４０を有する。また、それぞれの凹部４７は流線形状の内面Ｐ４０を備える。
【００４０】
図５は本発明の実施例にかかるバッテリーコネクタとバッテリーとの接続状態を示す図であり、図５（ａ）は接続前の状態の断面図、図５（ｂ）は接続後の状態の断面図である。バッテリーコネクタ１とバッテリー４０との接続前の状態においては、図５（ａ）に示すように、バッテリーコネクタ１は、コンタクト２０のコンタクト部２３の接触部２３ａが第１湾曲部２２ａ、第２湾曲部２２ｃ、第３湾曲部２２ｅによって発生する付勢力によってコネクタハウジング１０の前面１４の前方に突出した状態となっている。また、コンタクト２０の掛止部２４がコンタクトサポート部１９の内側に掛止されており、コンタクト２０がコンタクトサポート部１９により外力から保護された状態となっている。
【００４１】
バッテリーコネクタ１とバッテリー４０との接続時には、図５（ｂ）に示すように、バッテリー４０の凹部４７がバッテリーコネクタ１のコンタクト２０のコンタクト部２３を受け入れ、接触部２３ａが電極５０に当接するようにバッテリー４０をバッテリーコネクタ１に接近させる。その状態でさらにバッテリー４０をコネクタ１の方向に移動させると、電極５０によってコンタクト部２３の接触部２３ａに後方向への押圧力が加わり、コンタクト２０の弾性部２２は第１湾曲部２２ａ、第２湾曲部２２ｃ、第３湾曲部２２ｅにおいて付勢力に抗して変形し、これによって接触部２３ａは後方に移動すると共に電極５０の表面にそって上方に移動し、これによって接触部２３ａと電極５０の表面は十分なワイプ動作を伴って相互に密接する。また、このとき、バッテリー４０の接続端面４５とコネクタハウジング１０の前面１４が互いに接近する。さらに、一対のコンタクトサポート部１９の両側端間の幅Ｗ１０がバッテリー４０の凹部４７の幅Ｗ４０よりも小さく、コンタクトサポート部１９の輪郭Ｐ１０が凹部４７の内面Ｐ４０の形状に対応して形成されているため、コンタクトサポート部１９はバッテリー４０の凹部４７に確実に収容される。
【００４２】
このように、コネクタハウジング１０に、前面１４から突出するコンタクトサポート部１９を設けたことによって、非使用時にはコンタクト２０のコンタクト部２３を一対のコンタクトサポート部１９によって保護するので、外力によってコンタクト２０が変形するのを防止することができる。加えて、コンタクトサポート部１９がコネクタハウジング１０の前面１４から突出しているので、その分だけコンタクト部２３を前方に突出させることが可能となる。このような構成でコンタクト部２３を前方に突出させることが可能となると、バッテリー４０の凹部４７の最奥部に設けられた電極５０の位置がバッテリー４０の接続端面４５から深い位置にある場合でも、コンタクト部２３は十分なストロークで電極５０に接触することが可能となり、電極５０と接触部２３ａの密接度が良好になる。
【００４３】
また、コンタクトサポート部１９の形状を、バッテリー４０の凹部４７の形状に対応して形成することによって、接続時にコンタクトサポート部１９が凹部４７に導入される。これにより、バッテリー４０がコネクタハウジング１０に干渉せずともコンタクト部２３が十分なストローク変位量を得て電極５０に接触することが可能となる。
【産業上の利用可能性】
【００４４】
本発明の実施例で説明したバッテリーコネクタは、携帯電話等の携帯用の電子機器に使用され、バッテリーを接続するコネクタに適用することが可能である。また、本発明は、上述したバッテリーコネクタの他、相手方ユニットの導電部材が相手方ユニットのハウジング接続端面から深くくぼんだ位置に配置されているコネクタと接続する際に効果を発揮する。
【図面の簡単な説明】
【００４５】
【図１】本発明の実施例に係るバッテリーコネクタの外観斜視図である。
【図２】図１と同様に本発明の実施例に係るバッテリーコネクタを示す図であり、図２（ａ）は平面図、図２（ｂ）は正面図、図２（ｃ）は底面図、図２（ｄ）は左側面図、図２（ｅ）は右側面図である。
【図３】図２のＡ−Ａ線断面図である。
【図４】本発明の実施例にかかるバッテリーコネクタに接続されるバッテリーの要部を示す外観斜視図である。
【図５】本発明の実施例にかかるバッテリーコネクタとバッテリーとの接続状態を示す図であり、図５（ａ）は接続前の状態の断面図、図５（ｂ）は接続後の状態の断面図である。
【図６】従来使用されているバッテリーコネクタの一例を示す外観斜視図である。
【図７】図７は図６のバッテリーコネクタの断面図を示したものであり、図７（ａ）は接続前の状態を示す断面図、図７（ｂ）は接続後の状態を示す断面図である。
【図８】図８は図７に示すものと同様に従来のバッテリーコネクタの断面図を示し、図８（ａ）は電極が深い位置にあるバッテリーとの接続前の状態を示す断面図、図８（ｂ）は図８（ａ）に示すバッテリーコネクタを十分なストローク量を得るため無理にバッテリーに干渉させて接続させた場合の状態を示し、図８（ｃ）は十分なストローク量を得るためコネクタハウジングからのコンタクト部の突出量を増した場合のバッテリーコネクタを示す断面図である。
【符号の説明】
【００４６】
１      コネクタ
１０    コネクタハウジング
１４    前面
１７    開口
１９    コンタクトサポート部
２０    コンタクト
２３    コンタクト部
２３ａ  接触部
４０    バッテリー
４５    接続端面
４７    凹部
５０    電極
【図１】
2008218035.tif 000003
【図２】
2008218035.tif 000004
【図３】
2008218035.tif 000005
【図４】
2008218035.tif 000006
【図５】
2008218035.tif 000007
【図６】
2008218035.tif 000008
【図７】
2008218035.tif 000009
【図８】
2008218035.tif 000010